(57)【要約】【課題】折畳み可能に連結された複数の筐体を備える電子機器に、当該複数の筐体の開閉状態を正確に検出した上で、開閉状態に応じた動作を実行させる。【解決手段】電子機器１００では、液晶パネル１４０に表示される画像の一部（領域９００１に表示される画像）が液晶パネル２４０のスキャン画像として検出されるか否かによって、第１の筐体１００Ａと第２の筐体１００Ｂの開閉状態が検出される。そして、電子機器１００は、液晶パネル２４０のスキャン画像が出力画像の一部の画像と一致した場合には、第１の筐体１００Ａと第２の筐体１００Ｂが閉状態とされたとみなし、スリープ状態のための動作を実行する。【選択図】図１９
2010117768.tif 000002
【特許請求の範囲】
【請求項１】
第１の筐体と、前記第１の筐体に対して折畳み可能に連結された第２の筐体とを備える電子機器であって、
前記第１の筐体と前記第２の筐体の開閉状態を検出する開閉検出手段と、
前記電子機器内の被電力供給体への電力の供給を制御する電力制御手段とを備え、
前記開閉検出手段は、
光センサを含み、
前記光センサによって検出された画像が特定の画像である場合に、前記第１の筐体と前記第２の筐体が閉状態であると判断し、
前記光センサによって検出された画像が前記特定の画像ではない場合には、前記第１の筐体と前記第２の筐体が開状態であると判断し、
前記電力制御手段は、前記閉状態では、前記開状態よりも、前記被電力供給体に供給する電力量を低減させる、電子機器。
【請求項２】
前記第１の筐体と前記第２の筐体の一方に設けられた表示部をさらに備え、
前記光センサは、
前記第１の筐体と前記第２の筐体の他方に設けられ、
前記第１の筐体と前記第２の筐体が閉状態にある場合に、前記表示部の少なくとも一部を検出対象とし、
前記特定の画像は、前記閉状態に前記表示部に表示される画像である、請求項１に記載の電子機器。
【請求項３】
前記電力制御手段は、前記電力量の低減として、前記表示部に供給する電力量を低減させる、請求項２に記載の電子機器。
【請求項４】
前記表示部は、液晶表示装置を含み、
前記電力制御手段は、前記電力量の低減として、前記液晶表示装置のバックライトのみを消灯させる、請求項３に記載の電子機器。
【請求項５】
前記電力制御手段は、前記電力量の低減として、前記表示部の表示を停止させる、請求項３に記載の電子機器。
【請求項６】
前記電力制御手段は、前記被電力供給体に供給する電力を低減させているときに、前記光センサが検出した画像が前記特定の画像以外の画像となった場合には、前記被電力供給体に供給する電力量の低減を解除する、請求項２〜請求項５のいずれかに記載の電子機器。
【請求項７】
前記電力制御手段は、前記被電力供給体に供給する電力を低減させているときに、前記光センサが検出する光量が所定の量を超えた場合に、前記被電力供給体に供給する電力量の低減を解除する、請求項２〜請求項５のいずれかに記載の電子機器。
【請求項８】
前記特定の画像は、前記電子機器に情報を入力するための入力手段を表示する画像である、請求項２〜請求項６のいずれかに記載の電子機器。
【請求項９】
アプリケーションのプログラムを実行することにより、当該アプリケーションに従った処理の実行結果の出力画面の少なくとも一部を前記表示部に表示するアプリケーション実行手段をさらに備え、
前記特定の画像は、前記表示部に表示された前記出力画面の画像である、請求項２〜請求項８のいずれかに記載の電子機器。
【請求項１０】
前記特定の画像は、前記表示部に表示された前記出力画面の画像の一部である、請求項９に記載の電子機器。
【請求項１１】
第１の筐体と、前記第１の筐体に対して折畳み可能に連結された第２の筐体とを備える電子機器の制御方法であって、
前記第１の筐体と前記第２の筐体の開閉状態を検出するステップと、
前記閉状態では、前記開状態よりも、前記被電力供給体に供給する電力量を低減させるステップとを備え、
前記開閉状態を検出するステップでは、前記光センサによって検出された画像が特定の画像である場合に、前記第１の筐体と前記第２の筐体が閉状態であると判断する、電子機器の制御方法。
【請求項１２】
第１の筐体と、前記第１の筐体に対して折畳み可能に連結された第２の筐体とを備える電子機器の制御プログラムであって、
前記電子機器に、
前記第１の筐体と前記第２の筐体の開閉状態を検出するステップと、
前記閉状態では、前記開状態よりも、前記被電力供給体に供給する電力量を低減させるステップとを実行させ、
前記開閉状態を検出するステップでは、前記光センサによって検出された画像が特定の画像である場合に、前記第１の筐体と前記第２の筐体が閉状態であると判断させる、制御プログラム。
【発明の詳細な説明】
【技術分野】
【０００１】
本発明は電子機器およびその制御方法に関し、特に、折畳み可能に連結された第１および第２の筐体を備える電子機器、その制御方法およびその制御プログラムに関する。
【背景技術】
【０００２】
従来から、電子機器において、消費電力を抑えるための種々の技術が開示されている。
たとえば、特許文献１（特開平３−２３１７１８号公報）では、蓋体を備える表示装置において、当該蓋体の開閉が検知され、蓋体が閉じられていることが検知されたときに、当該表示装置における液晶表示パネルのバックライトを消灯させる技術が開示されている。
【０００３】
また、特許文献２（特開平７−７４６９１号公報）では、光センサを備えた折畳み機構付携帯電話機において、光センサの検出する光量に基づいて開閉状態を検出し、閉状態にあると判断されると低消費電力状態とされる技術が開示されている。
【０００４】
また、特許文献３（特開２００１−２８５４３４号公報）では、折畳み型の携帯電子機器において、ヒンジ部に設けられたプッシュスイッチによって開閉状態が検出され、開状態で表示部のバックライトを点灯させ、半開状態でバックライトを消灯させる技術が開示されている。なお、プッシュスイッチは、ヒンジによって連結された２つの筐体の中の一方の筐体に設けられた凸部によって開状態で押圧され、閉状態とされると当該押圧が解除される。
【０００５】
また、特許文献４（特開２００２−５７７７６号公報）では、折畳み式通信端末機において、開閉可能に連結された本体ケースと蓋体ケースの開閉状態を検出し、また、表示部または操作部の周辺の明るさを検出する光検出手段を備え、開閉状態の検出結果および光検出手段による明るさの検出結果に基づいて表示部や操作部を照明するための照明手段の点灯および消灯を制御する技術が開示されている。なお、特許文献４では、本体ケースと蓋体ケースの連結部に設けられたスイッチが、開閉動作の切換えに応じて物理的に状態を切換えられる。本体ケースと蓋体ケースの開閉状態の検出は、上記スイッチの状態を検出することにより、検出される。
【０００６】
また、特許文献５（特開２００５−２７８０４３号公報）には、携帯電話機において、レシーバにユーザの耳が接近していること、レシーバにユーザの耳が接触していること、または、マイクが所定レベル以上の音声信号を検出していることによって表示部のバックライトを遮断するか否かを決定する技術が開示されている。なお、ユーザの耳がレシーバに接近しているか否かは、レシーバ近傍に設けられた光センサの検知出力に基づいて判断される。また、ユーザの耳がレシーバに接触しているか否かは、レシーバの近傍に設けられた圧力センサである圧力センサの検出出力に基づいて判断される。
【特許文献１】特開平３−２３１７１８号公報
【特許文献２】特開平７−７４６９１号公報
【特許文献３】特開２００１−２８５４３４号公報
【特許文献４】特開２００２−５７７７６号公報
【特許文献５】特開２００５−２７８０４３号公報
【発明の開示】
【発明が解決しようとする課題】
【０００７】
上記したように、従来の電子機器では、電子機器側で開閉状態を検出する構成を有し、ユーザに対して当該開閉状態に応じた操作を特に要求することなく、当該開閉状態に応じてバックライトの消灯などの省電力のための制御が実行されてきた。
【０００８】
しかしながら、特許文献１や特許文献３、特許文献４に記載された技術では、マイクロスイッチやプッシュスイッチなどの物理的に操作されるスイッチが利用されるため、開閉動作の回数が多くなると、上記スイッチが劣化し、開閉状態を正確に検出できなくなる事態が想定される。
【０００９】
また、特許文献２および特許文献５に記載の技術では、ユーザの手が光センサの検出部分を覆ってしまうなど、センサが本来検出するべきもの以外のものに反応してしまう事態が想定され、開閉状態が正確に検出されない事態が想定される。
【００１０】
本発明は係る実情に鑑み考え出されたものであり、その目的は、折畳み可能に連結された複数の筐体を備える電子機器に、当該複数の筐体の開閉状態を正確に検出した上で、開閉状態に応じた動作を実行させることである。
【課題を解決するための手段】
【００１１】
本発明に従った電子機器は、第１の筐体と、第１の筐体に対して折畳み可能に連結された第２の筐体とを備える電子機器であって、第１の筐体と第２の筐体の開閉状態を検出する開閉検出手段と、電子機器内の被電力供給体への電力の供給を制御する電力制御手段とを備え、開閉検出手段は、光センサを含み、光センサによって検出された画像が特定の画像である場合に、第１の筐体と第２の筐体が閉状態であると判断し、光センサによって検出された画像が特定の画像ではない場合には、第１の筐体と第２の筐体が開状態であると判断し、電力制御手段は、閉状態では、開状態よりも、被電力供給体に供給する電力量を低減させる。
【００１２】
また、本発明に従った電子機器は、好ましくは、第１の筐体と第２の筐体の一方に設けられた表示部をさらに備え、光センサは、第１の筐体と第２の筐体の他方に設けられ、第１の筐体と第２の筐体が閉状態にある場合に、表示部の少なくとも一部を検出対象とし、特定の画像は、閉状態に表示部に表示される画像である。
【００１３】
また、本発明に従った電子機器では、好ましくは、電力制御手段は、電力量の低減として、表示部に供給する電力量を低減させる。
【００１４】
また、本発明に従った電子機器では、好ましくは、表示部は、液晶表示装置を含み、電力制御手段は、電力量の低減として、液晶表示装置のバックライトのみを消灯させる。
【００１５】
また、本発明に従った電子機器では、電力制御手段は、電力量の低減として、表示部の表示を停止させる。
【００１６】
また、本発明に従った電子機器では、好ましくは、電力制御手段は、被電力供給体に供給する電力を低減させているときに、光センサが検出した画像が特定の画像以外の画像となった場合には、被電力供給体に供給する電力量の低減を解除する。
【００１７】
また、本発明に従った電子機器では、好ましくは、電力制御手段は、被電力供給体に供給する電力を低減させているときに、光センサが検出する光量が所定の量を超えた場合に、被電力供給体に供給する電力量の低減を解除する。
【００１８】
また、本発明に従った電子機器では、好ましくは、特定の画像は、電子機器に情報を入力するための入力手段を表示する画像である。
【００１９】
また、本発明に従った電子機器は、好ましくは、アプリケーションのプログラムを実行することにより、当該アプリケーションに従った処理の実行結果の出力画面の少なくとも一部を表示部に表示するアプリケーション実行手段をさらに備え、特定の画像は、表示部に表示された出力画面の画像である。
【００２０】
また、本発明に従った電子機器では、好ましくは、特定の画像は、表示部に表示された出力画面の画像の一部である。
【００２１】
本発明に従った電子機器の制御方法は、第１の筐体と、第１の筐体に対して折畳み可能に連結された第２の筐体とを備える電子機器の制御方法であって、第１の筐体と第２の筐体の開閉状態を検出するステップと、閉状態では、開状態よりも、被電力供給体に供給する電力量を低減させるステップとを備え、開閉状態を検出するステップでは、光センサによって検出された画像が特定の画像である場合に、第１の筐体と第２の筐体が閉状態であると判断する。
【００２２】
本発明に従った電子機器の制御プログラムは、第１の筐体と、第１の筐体に対して折畳み可能に連結された第２の筐体とを備える電子機器の制御プログラムであって、電子機器に、第１の筐体と第２の筐体の開閉状態を検出するステップと、閉状態では、開状態よりも、被電力供給体に供給する電力量を低減させるステップとを実行させ、開閉状態を検出するステップでは、光センサによって検出された画像が特定の画像である場合に、第１の筐体と第２の筐体が閉状態であると判断させる。
【発明の効果】
【００２３】
本発明によれば、電子機器において、光センサによって検出された画像が特定の画像か否かによって、第１の筐体と第２の筐体が開状態であるか否かが判断される。そして、判断結果に応じて、当該電子機器内の被電力供給体への電力の供給量が制御される。
【００２４】
つまり、本発明によれば、物理的に操作されるスイッチによって開閉状態が検出され、当該スイッチの劣化によって開閉状態が正確に検出できなくなる事態が生じない。また、本発明によれば、単に、ユーザが光センサの光検出部を手で塞いだりしても、光センサに所定の画像が入力されなければ、上記した被電力供給体への電力の供給量の低減がなされない。
【００２５】
したがって、電子機器において、被電力供給体への電力の供給量を調節する省電力制御が、当該電子機器の開閉状態を正確に検出した上で行なわれることになる。
【発明を実施するための最良の形態】
【００２６】
本発明に係る電子機器の一実施態様について、図面を参照して説明すると以下のとおりである。
【００２７】
＜電子機器の外観＞
図１は、本実施の形態に係る電子機器１００の外観を示した図である。図１を参照して、電子機器１００は、第１の筐体１００Ａと第２の筐体１００Ｂとを含む。
【００２８】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００２９】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００３０】
＜ハードウェア構成について＞
次に、図２を参照して、電子機器１００の具体的構成の一態様について説明する。図２は、電子機器１００のハードウェア構成を表わすブロック図である。
【００３１】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００３２】
第１の筐体１００Ａは、表示装置１０２を含む。第２の筐体１００Ｂは、本体装置１０１を含む。また、第２の筐体１００Ｂは、第２ユニット１００２を含む。
【００３３】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００３４】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００３５】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３６】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００３７】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００３８】
電源検出部１９３は、電源回路１９２からの出力を検出する。また、電源検出部１９３は、当該検出した出力に関する情報（たとえば、電圧値や電流値）を、ＣＰＵ１１０に送る。
【００３９】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００４０】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００４１】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００４２】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４３】
ドライバ１３０は、液晶パネル１４０およびバックライト１７９を駆動するための駆動回路である。ドライバ１３０に含まれる各種の駆動回路については、後述する。
【００４４】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４５】
内部ＩＦ（Interface）１７８は、本体装置１０１と表示装置１０２との間で、データの遣り取りを仲介する。
【００４６】
バックライト１７９は、液晶パネル１４０の裏面に配置された光源である。バックライト１７９は、当該裏面に対して均一な光を照射する。
【００４７】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４８】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４９】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００５０】
上記コマンドは、上記光センサによりセンシングを指示するセンシングコマンドを含む。当該センシングコマンドの詳細および上記応答データの詳細については、後述する（図７，図８，および図１４）。
【００５１】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５２】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５３】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００５４】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５５】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００５６】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００５７】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００５８】
信号強度検出部２９７は、アンテナ２９５を介して受信した信号についての強度を検出する。そして、信号強度検出部２９７は、検出した強度を外部通信部２７４に送る。
【００５９】
ＵＳＢコネクタ２９４は、第２ユニット１００２を第１ユニット１００１に接続するために用いられる。
【００６０】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００６１】
アンテナ２９５は、第２ユニット１００２と、たとえば第１ユニット１００１との間における、Ｂｌｕｅｔｏｏｔｈ（登録商標）の規格に沿った通信に用いられる。
【００６２】
電源検出部２９３は、ＵＳＢコネクタ２９４を介して給電された電力を検出する。また、電源検出部２９３は、当該検出した電力についての情報を、ＣＰＵ２１０に送る。
【００６３】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６４】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６５】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６６】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００６７】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００６８】
ここでいうプログラムとは、ＣＰＵにより直接実行可能なプログラムだけでなく、ソースプログラム形式のプログラム、圧縮処理されたプログラム、暗号化されたプログラム等を含む。
【００６９】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００７０】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００７１】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００７２】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００７３】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７４】
なお、ここでは、いわゆる線順次方式と呼ばれる駆動方式を用いて説明したが、駆動方式はこれに限定されるものではない。
【００７５】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７６】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００７７】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００７８】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００７９】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００８０】
光センサ駆動回路１３３は、図２に示すドライバ制御部１８１から制御信号ＴＣ２を受ける。
【００８１】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００８２】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００８３】
なお、電圧ＶＤＤＲを印加するタイミング、および電圧ＶＤＤを印加するタイミングについては、後述する。
【００８４】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８５】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８６】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００８７】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００８８】
アンプ１３５は、各センサ信号線（ＳＳ１〜ＳＳｎ）から出力された電圧を増幅する。なお、増幅された電圧は、図２に示した信号処理部１８３に送られる。
【００８９】
なお、画素回路１４１を用いて画像を液晶パネル１４０に表示させるタイミングと、光センサ回路１４４を用いてセンシングするタイミングとについては、画像処理エンジン１８０が制御する。
【００９０】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００９１】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００９２】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００９３】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９４】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９５】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９６】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００９７】
なお、フォトダイオード１４５の位置は、上記の位置に限定されるものではなく、カラーフィルタ１５３ｒに対向する位置やカラーフィルタ１５３ｇに対向する位置に設けることも可能である。
【００９８】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００９９】
以下では、光センサ回路１４４をリセットするためのリセット期間と、光センサ回路１４４を用いて光をセンシングするためのセンシング期間と、センシングした結果を読み出す読出期間とに分けて説明する。
【０１００】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１０１】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【０１０２】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１０３】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１０４】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０５】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０６】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１０７】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１０８】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１０９】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１１０】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１１１】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１１２】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１１３】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１４】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１５】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１６】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１１７】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１１８】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１１９】
図６は、液晶パネル１４０とバックライト１７９との断面図であって、スキャンの際にフォトダイオード１４５がバックライト１７９からの光を受光する構成を示した図である。
【０１２０】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１２１】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１２２】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１２３】
以上により、表示装置１０２は、指９００によって光が反射されることにより得られる像（以下、反射像とも称する）をスキャンすることができる。
【０１２４】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２５】
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１２６】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１２７】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１２８】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１２９】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１３０】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１３１】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１３２】
なお、上記座標値と上記部分画像または上記全体画像とを同時に要求する構成としてもよい。また、液晶パネル２４０の表面の一部の領域に関してスキャンを行う構成の場合には、上記全体画像はスキャンが行われる領域に対応した画像となる。
【０１３３】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行うことを指す。
【０１３４】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３５】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３６】
また、上記第１コマンドには、図８に示したデータ以外に、スキャンを行う領域（光センサ回路１４４を駆動する画素の領域）の指定、スキャンを行うタイミング、バックライト１７９の点灯のタイミングなどが記述されている。
【０１３７】
なお、画像処理エンジン２８０は、第１コマンドの内容を解析し、当該解析の結果に従ったデータ（つまり、応答データ）を本体装置１０１に送り返す。
【０１３８】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１３９】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１４０】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１４１】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行う。
【０１４２】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１４３】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行う。
【０１４４】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４５】
ＣＰＵ１１０，２１０は、ヘッダＤＡ０１に、コマンドの種別（「０１０」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４６】
第１フィールドＤＡ０２に「０１」または「１０」が設定された第３コマンドは、第２ユニット１００２から第１ユニット１００１に送信される。
【０１４７】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１４８】
第２フィールドＤＡ０３に「０００」、「００１」、または「０１０」が設定された第３コマンドは、第２ユニット１００２から第１ユニット１００１に送信される。
【０１４９】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１５０】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１５１】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１５２】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１５３】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１５４】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５５】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５６】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１５７】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１５８】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１５９】
第２フィールドＤＡ０３に「０００」が設定された第６コマンドは、通信の接続先を指定する情報を有していないことを示す。
【０１６０】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１６１】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１６２】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１６３】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１６４】
第３フィールドＤＡ０４に「０００」が設定された第６コマンドは、データ（たとえば、ファイル）の転送先を指定する情報を有していないことを示す。
【０１６５】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６６】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１６７】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１６８】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１６９】
第４フィールドＤＡ０５に「００」、「０１」、「１０」、または「１１」が設定された第６コマンドは、第１ユニット１００１によって、第２ユニット１００２に送信される。
【０１７０】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１７１】
図１４は、応答データの概略構成を示した図である。応答データは、第１コマンド（センシングコマンド）の内容に応じたデータである。
【０１７２】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１７３】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１７４】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７５】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７６】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１７７】
ただし、必ずしも中心座標の位置は上記に限定されるものではなく、中心座標を上記図心の座標あるいは図心の近傍の座標としてもよい。
【０１７８】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１７９】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１８０】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１８１】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１８２】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１８３】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１８４】
＜構成の第１の変形例について＞
ところで、液晶パネル１４０の構成は、図３に示した構成に限定されるものではない。以下では、図３とは異なる態様の液晶パネルについて説明する。
【０１８５】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１８６】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１８７】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１８８】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１８９】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１９０】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１９１】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１９２】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１９３】
以上述べたように、電子機器１００が液晶パネル１４０Ａを備えた構成とすることにより、スキャン対象物をカラーでスキャンできることになる。
【０１９４】
次に、図１７を参照して、前述のスキャンの方法（つまり、図６における反射像をスキャンする方法）とは異なるスキャンの方法について説明する。
【０１９５】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１９６】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１９７】
以上により、表示装置１０２は、指９００によって外光が遮られることにより得られる像（以下、影像とも称する）をスキャンすることができる。
【０１９８】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１９９】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０２００】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受け付けた場合、表示装置１０３は表示装置１０２と同様の動作を行う。このため、表示装置１０３の構成や動作についての説明は繰り返さない。
【０２０１】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０２０２】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０２０３】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０２０４】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２０５】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２０６】
また、第１ユニット１００１は、光センサを内蔵した液晶パネル１４０の代わりに、たとえば抵抗膜方式や静電容量方式のタッチパネルを備えてもよい。
【０２０７】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２０８】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２０９】
本実施の形態に係る電子機器１００は、上記のように構成されているため、第２ユニット１００２が、ＵＳＢコネクタ１９４，２９４を介して第１ユニット１００１に着脱自在になっている。
【０２１０】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２１１】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２１２】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２１３】
また、たとえば、第２ユニット１００２は、アンテナ２９５を介して外部の携帯電話などとの間でデータの送受信を行う。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２１４】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
【０２１５】
＜構成の第３の変形例＞
電子機器１００では、第１の筐体１００Ａと第２の筐体１００Ｂが折畳み可能に接続されている。ＣＰＵ１１０は、これらが閉状態にあるか否かを検出し、その検出結果に応じて、電子機器１００をスリープ状態とするか否かを決定することができる。
【０２１６】
本変形例では、これらが閉状態にあるか否かは、液晶パネル２４０が検出する画像の内容に基づいて決定される。また、スリープ状態では、バックライト２７９等の、電子機器１００における被電力供給体に供給される電力量が低減される。
【０２１７】
図１９は、本変形例の電子機器１００における閉状態の検出態様の一例を説明するための図である。
【０２１８】
図１９（Ａ）を参照して、電子機器１００では、第１の筐体１００Ａに液晶パネル１４０が配設され、また、第２の筐体１００Ｂには液晶パネル２４０が配設されている。
【０２１９】
図１９（Ｃ）に示されたように、電子機器１００が折畳み状態とされ、第１の筐体１００Ａと第２の筐体１００Ｂとが閉状態とされた場合には、液晶パネル１４０の中の領域９００１（図１９（Ａ）参照）が液晶パネル２４０のスキャン可能な領域と対向することとなる。
【０２２０】
本変形例では、液晶パネル２４０のスキャン画像が、領域９００１に表示されるべき画像と一致したか否かを判断し、一致したと判断された場合には、第１の筐体１００Ａと第２の筐体１００Ｂとが閉状態とされたとして、ＣＰＵ１１０は、上記したスリープ状態のための制御動作を実行する。
【０２２１】
上記判断は、領域９００１にその時点で表示されるべき画像の画像データを、たとえば画像処理エンジン１８０から、図１９（Ｂ）に部分画像８００１として示されるように、取得し、そして、液晶パネル２４０のスキャン画像と部分画像８００１とを比較することによって実現される。
【０２２２】
ここで、画像が一致するか否かは、たとえば、両画像のマッチング割合が一定の割合以上であれば、両画像は一致すると判断される。
【０２２３】
スリープ状態で実行される動作の内容は、電子機器１００において予め設定されていてもよいし、ユーザから入力された内容に基づいて決定されてもよい。図２０に、スリープ状態の動作内容を設定するために液晶パネル１４０に表示される画面の一例を示す。
【０２２４】
図２０を参照して、画面９０００では、スリープ状態で電子機器１００に実行させる動作の内容として、「ディスプレイの明度低下」「ディスプレイの画面消去」「ＣＰＵの停止」「ＨＤＤの回転を停止」という４種類のメニューが例示されている。
【０２２５】
「ディスプレイの明度低下」とは、液晶パネル１４０およびバックライト１７９に供給する電力量を低下させることにより、液晶パネル１４０による表示の輝度を低下させるメニューである。
【０２２６】
「ディスプレイの画面消去」とは、液晶パネル１４０およびバックライト１７９への電力の供給を停止させて、液晶パネル１４０における情報の表示を停止させるメニューである。
【０２２７】
「ＣＰＵの停止」とは、ＣＰＵ１１０へのクロックの供給や電力の供給を一時的に停止／低減させるメニューである。
【０２２８】
「ＨＤＤの回転を停止」とは、電子機器１００において、ＲＡＭ１７１の一部としてＨＤＤ（ハードディスクドライブ）が搭載されている場合に、当該ＨＤＤにおけるハードディスクの回転を停止させるメニューである。
【０２２９】
上記「ディスプレイの画面消去」について、電子機器１００に設けられたハードウェア構成に基づいて、より詳細に説明する。
【０２３０】
図２１を参照して、電子機器１００では、ＣＰＵ１１０への電力の供給機構として、スリープスイッチ１１２およびインバータ１１１が設けられている。インバータ１１１はバックライト２７９に蛍光管が使われた場合に昇圧するものであるが、ＬＥＤ（Light Emitting Diode）が使われる場合には、昇圧しない場合もある。電子機器１００が通常の動作を行なっているときは、スリープスイッチ１１２は閉状態とされている。これにより、電源電圧ＢＬ＿Ｖｃｃが、スリープスイッチ１１２およびインバータ１１１を介してバックライト２７９へ供給される。
【０２３１】
スリープ状態の動作として「ディスプレイの画面消去」が設定されている場合であって、スリープ状態となった場合には、ＣＰＵ１１０は、スリープスイッチ１１２を開状態とする。これにより、バックライト２７９への電源の供給が停止される。電子機器１００では、スリープ状態が解除されたときには、再度スリープスイッチ１１２が閉状態とされ、これにより、バックライト２７９への電力の供給が再開される。スリープ状態の動作として「ディスプレイの画面消去」が設定されている場合には、ＣＰＵ１１０とともに、電子機器１００に設けられた、スリープ状態解除時にスリープスイッチ１１２を閉状態とする構成部品により、スリープ状態のための動作が制御されることとなる。
【０２３２】
図２２は、以上説明したような、第１の筐体１００Ａと第２の筐体１００Ｂの開閉状態の検出結果に基いてスリープ状態のための制御動作を実行するために、ＣＰＵ１１０により実行される処理（開閉用制御処理）のフローチャートである。以下、当該処理の内容を説明する。なお、開閉用制御処理は、電子機器１００に対する電源投入の開始から終了まで、たとえば一定時間ごとに実行される。
【０２３３】
図２２を参照して、開閉用制御処理では、まずＣＰＵ１１０は、ステップＳＡ１０において、その時点で、図１９（Ａ）に領域９００１として示したように、閉状態で液晶パネル２４０と対向する領域に表示されるべき画像データ（画像８００１のデータ）を表示装置１０２から取得して、ステップＳＡ２０へ処理を進める。
【０２３４】
ステップＳＡ２０では、ＣＰＵ１１０は、液晶パネル２４０のスキャン画像の画像データを取得して、ステップＳＡ３０へ処理を進める。
【０２３５】
ここで、ＣＰＵ１１０は、液晶パネル２４０のスキャン画像のデータを取得するために、第２ユニット１００２へ第１コマンド（図８参照）を送信する。ここでの第１コマンドでは、第１フィールドＤＡ０２には「００」が設定され、第２フィールドＤＡ０３には「１００」が設定され、第３フィールドＤＡ０４には「０１」が設定される。また、第４フィールドＤＡ０５および第５フィールドＤＡ０５に設定される値は、ＣＰＵ１１０によって実行されているアプリケーションの種類などによって適宜設定される。
【０２３６】
なお、液晶パネル１４０およびバックライト１７９が消灯されている場合には、ＣＰＵ１１０は、液晶パネル２４０にセンシング動作を実行させる間だけ、液晶パネル１４０およびバックライト１７９を点灯させる。
【０２３７】
そして、信号処理部２８３は、ＣＰＵ１１０から送信された第１コマンドに応じて、液晶パネル２４０によるスキャン画像を取得し、上記第１コマンドの応答データとして、取得した画像のデータを本体装置１０１へ送信する。
【０２３８】
以上の処理により、ＣＰＵ１１０は、液晶パネル２４０のスキャン画像のデータを取得する。
【０２３９】
ステップＳＡ３０では、ＣＰＵ１１０は、ステップＳＡ１０で取得した画像データとステップＳＡ２０で取得した画像データとが一致するか否かを判断し、一致すると判断するとステップＳＡ４０へ処理を進め、一致しないと判断するとステップＳＡ１０へ処理を戻す。
【０２４０】
ここで、画像データが一致するとは、上記したように、マッチング割合が所定の割合（たとえば、８０％）以上であれば一致すると判断されてもよい。
【０２４１】
ステップＳＡ４０では、ＣＰＵ１１０は、図２０を参照して説明したように、設定された（または、予め電子機器１００において設定された）スリープ状態を実現するための制御動作を実行して、ステップＳＡ５０へ処理を進める。
【０２４２】
ステップＳＡ５０では、ＣＰＵ１１０は、液晶パネル２４０のスキャン画像を取得し、ステップＳＡ５０へ処理を進める。
【０２４３】
なお、ステップＳＡ５０において画像データを取得するために、ＣＰＵ１１０は、第２ユニット１００２に、ステップＳＡ２０で送信した第１コマンドとは異なる第１コマンドを送信してもよい。
【０２４４】
つまり、ステップＳＡ５０では、第１の筐体１００Ａと第２の筐体１００Ｂとが閉状態とされていると考えられるため、第３フィールドＤＡ０４のデータで設定される読取方式が透過とされるような、つまり、第３フィールドＤＡ０４に「０１」が設定された第１コマンドを、送信してもよい。これにより、液晶パネル２４０によるセンシングは、バックライト２７９が点灯した状態で行なわれることになる。
【０２４５】
なお、ＣＰＵ１１０は、スリープ状態を実現するために実行される動作の内容によっては、センシングの間は液晶パネル１４０を動作させ、センシングが終了したら、液晶パネル１４０をセンシング動作前の状態に戻すように、開閉用制御処理を実行しても良い。
【０２４６】
ステップＳＡ６０では、ＣＰＵ１１０は、ステップＳＡ５０で取得された画像データが、閉状態において取得されるべき画像データであるか否かを判断する。なお、この判断は、たとえば、予め定められた画像データとステップＳＡ５０で取得された画像データとが一致するか否かによってなされる。
【０２４７】
そして、ＣＰＵ１１０は、ステップＳＡ５０で取得された画像データが閉状態の画像データと一致したと判断するとステップＳＡ４０へ処理を戻し、スリープ状態の制御動作を継続する。一方、ステップＳＡ５０で取得された画像データが閉状態の画像データと一致しなくなったと判断すると、ステップＳＡ７０へ処理を進める。
【０２４８】
ステップＳＡ７０では、ＣＰＵ１１０は、通常時の制御動作に制御動作のモードを変更して、ステップＳＡ１０へ処理を戻す。
【０２４９】
ここで、通常時の動作とは、スリープ状態で実行した動作を解除されたものをいう。たとえば、「ディスプレイの明度低下」により液晶パネル１４０の表示の輝度を低下させた場合には、低下させる前の輝度に戻すことをいう。
【０２５０】
また、「ディスプレイの画面消去」により液晶パネル１４０における表示が停止されていた場合には、液晶パネル１４０における、実行中のアプリケーションの出力結果の表示などの表示が再開される。
【０２５１】
また、「ＨＤＤの回転を停止」によりＨＤＤにおけるハードディスクの回転が停止されていた場合には、ハードディスクの回転が再開される。
【０２５２】
なお、「ＣＰＵの停止」により、スリープ状態においてＣＰＵ１１０へのクロックや電力の供給が一時的に停止／低減されていた場合には、ステップＳＡ５０およびステップＳＡ６０の処理は、ＣＰＵ１１０のスリープ状態を解除することができる構成要素によって実行される。
【０２５３】
以上説明した本変形例では、液晶パネル１４０に表示される、ＣＰＵ１１０が実行しているアプリケーションの出力画面の一部の画像（領域９００１に表示される画像）が液晶パネル２４０のスキャン画像として検出されるか否かにより、第１の筐体１００Ａと第２の筐体１００Ｂの開閉状態が検出されていた。そして、電子機器１００では、液晶パネル２４０のスキャン画像が出力画像の一部の画像と一致した場合には、第１の筐体１００Ａと第２の筐体１００Ｂが閉状態とされたとみなし、スリープ状態のための動作を実行する。
【０２５４】
＜構成の第４の変形例＞
以上説明した第３の変形例では、液晶パネル１４０に表示されるべき画像が液晶パネル２４０のスキャン画像として検出されるか否かにより、第１の筐体１００Ａと第２の筐体１００Ｂの開閉状態が検出されていた。
【０２５５】
なお、図２３（Ａ）に示されるように、液晶パネル２４０が液晶パネル１４０と同等の大きさを有し、閉状態とされたときに液晶パネル１４０の全域をセンシング領域とすることができる場合には、ＣＰＵ１１０は、ステップＳＡ１０で液晶パネル１４０の全域に表示されるべき画像（図２３（Ｂ）の画像８００２）の画像データを取得し、そして、ステップＳＡ２０で液晶パネル２４０の中の液晶パネル１４０の全域に対応する領域のスキャン画像を取得して、ステップＳＡ３０でこれらを比較してもよい。
【０２５６】
＜構成の第５の変形例＞
以上説明した第３の変形例では、スリープ状態を解除するか否かの決定の際には、液晶パネル２４０のスキャン画像が予め電子機器１００に記憶された閉状態の画像と一致するか否かが判断され（ステップＳＡ６０）、当該判断の結果に基づいて、閉状態が解除されたか否かが判断されていた。
【０２５７】
本変形例では、スリープ状態において、単に液晶パネルの２４０のセンシング領域全体の受光量に基づいて、閉状態が解除されたか否かが判断される。
【０２５８】
本変形例における開閉用制御処理のフローチャートを図２４に示す。
図２４を参照して、本変形例の開閉用制御処理では、図２２に示されたフローチャートと比較して、ステップＳＡ６０の処理がステップＳＡ６１に変更されている。
【０２５９】
つまり、ステップＳＡ４０でスリープ状態の動作が実行された後、ステップＳＡ５０で液晶パネル２４０のスキャン画像が取得され、そして、ステップＳＡ６１で、ステップＳＡ５０で取得したスキャン画像の受光量の総量が所定量以下であるか否かが判断される。
【０２６０】
そして、受光量が当該処理量以下であると判断されると、ステップＳＡ４０へ処理が戻され、当該所定量を超えたと判断されると、ステップＳＡ７０で、スリープ状態の動作が終了し、通常時の動作が実行される。
【０２６１】
つまり、本変形例では、第１の筐体１００Ａと第２の筐体１００Ｂが閉状態とされたと判断された後、液晶パネル２４０のセンシング領域が明るくなったことが検出されると、両筐体が開状態とされたものとして、通常時の動作が実行される。
【０２６２】
＜構成の第６の変形例＞
以上説明した第３〜第５の変形例では、第２の筐体１００Ｂに設けられた液晶パネル２４０によって、第１の筐体１００Ａに設けられた液晶パネル１４０の表示内容を検出させることにより、その検出内容に基づいて、第１の筐体１００Ａと第２の筐体１００Ｂの開閉状態が判断されていた。
【０２６３】
なお、液晶パネル１４０に液晶パネル２４０の表示画像を検出させることによって、開閉状態が判断されてもよい。
【０２６４】
この場合、図２５に示されるように、液晶パネル１４０のスキャン領域は、第１の筐体１００Ａと第２の筐体１００Ｂが閉状態とされたときに液晶パネル２４０の表示領域の少なくとも一部を含む領域９００３がスキャン領域とされるように、設定されている。
【０２６５】
なお、本変形例では、液晶パネル１４０には、主に、ＣＰＵ１１０が実行するアプリケーションの出力結果が表示される。また、液晶パネル２４０には、主に、電子機器１００に情報を入力するための複数のソフトキーからなるキーボード等の入力手段の画像が表示される。
【０２６６】
そして、開閉用制御処理では、ＣＰＵ１１０は、液晶パネル２４０の中の領域９００３に表示されるべき画像データを取得し（ＳＡ１０）、液晶パネル１４０のスキャン画像のデータを取得し（ステップＳＡ２０）、これらの画像データが一致するか否か判断し（ステップＳＡ３０）、そして、一致したと判断するとスリープ状態の動作を実行する（ステップＳＡ４０）。
【０２６７】
また、ＣＰＵ１１０は、スリープ状態の動作を実行しているときに、液晶パネル１４０のスキャン画像のデータを取得し（ＳＡ５０）、取得した画像データが閉状態に液晶パネル２４０の領域９００３に表示されるべき画像データと一致するか否かを判断し、一致しないと判断すると（ステップＳＡ６０でＮＯ）、通常時の制御動作を実行する（ステップＳＡ７０）。
【０２６８】
本変形例では、ステップＳＡ２０およびステップＳＡ５０で液晶パネル１４０のスキャン画像が取得される際には、ＣＰＵ１１０は、表示装置１０２に対して、第１コマンドを送信する。
【０２６９】
そして、これに応じて、信号処理部１８３から本体装置１０１に、応答データとして、スキャン画像のデータが送信される。
【０２７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２７１】
【図１】本実施の形態に係る電子機器の外観を示す概略図である。
【図２】電子機器のハードウェア構成を表わすブロック図である。
【図３】液晶パネルの構成と当該液晶パネルの周辺回路とを示した図である。
【図４】液晶パネルとバックライトとの断面図である。
【図５】光センサ回路を動作させる際のタイミングチャートを示した図である。
【図６】スキャンの際にフォトダイオードがバックライトからの光を受光する構成を示した断面図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像（スキャン画像）を示した図である。
【図１６】図３の変形例である液晶パネルの回路図である。
【図１７】スキャンの際にフォトダイオードが外光を受光する構成を示した断面図である。
【図１８】電子機器の変形例のハードウェア構成を表すブロック図である。
【図１９】図１の第１の筐体と第２の筐体の開閉状態の検出態様の一例を説明するための図である。
【図２０】図１の電子機器において実行されるスリープ状態の動作の設定画面の一例を示す図である。
【図２１】図２の第１ユニットのＣＰＵの周辺のハードウェア構成の一例を模式的に示す図である。
【図２２】図２の第１ユニットのＣＰＵが実行する開閉用制御処理のフローチャートである。
【図２３】図１９の開閉状態の検出態様の変形例を説明するための図である。
【図２４】図２２の開閉用制御処理の変形例のフローチャートである。
【図２５】図１９の開閉状態の検出態様の他の変形例を説明するための図である。
【符号の説明】
【０２７２】
１００  電子機器、１００Ａ，１００Ｂ  筐体、１００Ｃ  ヒンジ、１０１，１０４  本体装置、１０２，１０２Ａ，１０３  表示装置、１１１  インバータ、１１２  スリープスイッチ、１３０，２３０  ドライバ、１３１  操作信号線駆動回路、１３２  データ信号線駆動回路、１３３  光センサ駆動回路、１３４  スイッチ、１３５  アンプ、１４０，１４０Ａ，２４０  液晶パネル、１４１  画素回路、１４１ｂ，１４１ｇ，１４１ｒ  サブピクセル回路、１４３  電極対、１４３ａ  画素電極、１４３ｂ  対向電極、１４４  光センサ回路、１４５，１４５ｂ，１４５ｇ，１４５ｒ  フォトダイオード、１４６  コンデンサ、１５１Ａ  アクティブマトリックス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７３  メモリカードリーダライタ、１７４，２７４  外部通信部、１７５  マイク、１７６  スピーカ、１７７  操作キー、１７９，２７９  バックライト、１８０，２８０  画像処理エンジン、１８１，２８１  ドライバ制御部、１８２，２８２  タイマ、１８３，２８３  信号処理部、１９１  電源スイッチ、１９２  電源回路、１９３，２９３  電源検出部、１９４，２９４  コネクタ、１９５，２９５  アンテナ、１９６  コネクタ、２９７  信号強度検出部、９００  指、１００１，１００１Ａ  第１ユニット、１００２  第２ユニット、１３００  電子機器、１７３１  メモリカード、８００１，８００２  画像、９００１〜９００３  領域、ＤＡ０１  ヘッダ、ＤＡ０２  第１フィールド、ＤＡ０３  第２フィールド、ＤＡ０４  第３フィールド、ＤＡ０５  第４フィールド、ＤＡ０６  第５フィールド、ＤＡ０７  予備のデータ領域、ＤＡ１１〜ＤＡ１４  データ領域。
【図１】
2010117768.tif 000003
【図２】
2010117768.tif 000004
【図３】
2010117768.tif 000005
【図４】
2010117768.tif 000006
【図５】
2010117768.tif 000007
【図６】
2010117768.tif 000008
【図７】
2010117768.tif 000009
【図８】
2010117768.tif 000010
【図９】
2010117768.tif 000011
【図１０】
2010117768.tif 000012
【図１１】
2010117768.tif 000013
【図１２】
2010117768.tif 000014
【図１３】
2010117768.tif 000015
【図１４】
2010117768.tif 000016
【図１５】
2010117768.tif 000017
【図１６】
2010117768.tif 000018
【図１７】
2010117768.tif 000019
【図１８】
2010117768.tif 000020
【図１９】
2010117768.tif 000021
【図２０】
2010117768.tif 000022
【図２１】
2010117768.tif 000023
【図２２】
2010117768.tif 000024
【図２３】
2010117768.tif 000025
【図２４】
2010117768.tif 000026
【図２５】
2010117768.tif 000027